Podtech/llm-jp-corpus-v4-ja_patent huggingface dataset:
(57)【要約】      （修正有）【課題】箱入りティッシュを常に勾配状態に保ち、箱入りティッシュの中身が少なくなっても最後の一枚までスムーズに取り出せる勾配を付けたティッシュケースを提供する。【解決手段】箱入りティッシュが挿入可能な勾配の付いた壁掛け型ティッシュケースであって、ティッシュケース１の底面には木ネジ用の穴が設けられ、ティッシュケースの上面には木ネジ締め付け用のドライバー通し穴３が設けられ、木ネジを使って壁の内部にある垂直な根太と平行になるようにティッシュケースを斜めに固定する。床置き型ティッシュケースにおいては、直立の固定柱と床置きの底版と一体化してティッシュケースを斜めに固定する。箱入りティッシュ２をティッシュケース１の挿入口１４から挿入し、ティッシュケース開口部５と箱入りティッシュの開口部６をあわせ、開口部からティッシュ７を取り出す。【選択図】図２
0003218630.tif 000002
【実用新案登録請求の範囲】
【請求項１】
箱入りティッシュを勾配の付いた壁掛け型ティッシュケースに挿入することにより、最後の１枚までスムーズに取り出せる装置
【請求項２】
箱入りティッシュを勾配の付いた床置き型ティッシュケースに挿入することにより最後の一枚までスムーズに取り出せる装置
【考案の詳細な説明】
【技術分野】
【０００１】  本考案は、箱入りティッシュに勾配を付けて、ティッシュを取り出しやすくする為のティッシュケースに関するものである
【背景技術】
【０００２】  箱入りティッシュはテーブルや机の上等に平置きしてあるか、吊下げ型ティッシュケースに入れる縦型のためティッシュが残り少なくなったとき、重力に負けて底の方に固まり最後までスムーズに取り出せない
【考案の概要】
【考案が解決しようとする課題】
【０００３】  箱入りティッシュのティッシュが、残り少なくなっても重力で下方に固まる事無く最後の１枚まで取り出せるように前述の欠点を解決しようとするものである
【課題を解決するための手段】
【０００４】本考案は、箱入りティッシュに勾配を付ける為に、勾配の付いたティッシュケースを設置し、このティッシュケースに箱入りティッシュを挿入することで解決している。
【考案の効果】
【０００５】上述の様に、本考案のティッシュケースを設置することにより、常に新しい箱入りティッシュを挿入した時には、すでに箱入りティッシュには所定の勾配が付くこととなり、ティッシュは常に最後までスムーズに取出しできる。
【図面の簡単な説明】
【０００６】
【図１】本考案の箱入りティッシュ挿入イメージ図
【図２】壁掛け型ティッシュケース使用形態斜視図
【図３】壁掛け型ティッシュケース使用形態断面図
【図４】壁掛け型ティッシュケース本体斜視図
【図５】壁掛け型ティッシュケース本体正面図
【図６】壁掛け型ティッシュケース本体断面図
【図７】床置き型ティッシュケース使用形態斜視図
【図８】床置き型ティッシュケース使用形態側面図
【考案を実施するための形態】
【０００７】  壁掛け型ティッシュケースを壁に木ネジで固定し、ティッシュケース挿入口から箱入りティッシュを挿入し、ティッシュケースの開口部と箱入りティッシュの開口部を合わせ、ティッシュを取り出す、ティッシュを取出し終われば新しい箱入りティッシュと入れ替える。床置き型も同様にティッシュケース挿入口から箱入りティッシュを挿入して使用する。
【実施例】
【０００８】以下、添付図面に沿って実施例を説明する。本考案の壁掛け型ティッシュケース１の底面に設けた木ネジ用の穴４に木ネジ９を使い壁掛け型ティッシュケース１を壁８に固定する、その際、木ネジ９は壁内部にある根太に固定できる長さを必要とし、木ネジ用穴４は垂直な根太と平行になるようにティッシュケース１では斜の位置取りとなる。同様にティッシュケース１の上面に設けた木ネジ締め付けようのドライバー通し穴３も対応している。【０００９】設置された壁掛け型ティッシュケース１の箱入りティッシュ挿入口１４から箱入りティッシュ２を挿入し壁掛け型ティッシュケース１の開口部５と挿入した箱入りティッシュ２の開口部６を合わせティッシュ７を引き出し使用する。【００１０】床置き型ティッシュケース１０は固定柱１２と底版１３と一体となっており、箱入りティッシュ２を床置き型ティッシュケース１０の箱入りティッシュ挿入口１５から挿入し床置き型ティッシュケース開口部１１と箱入りティッシュの開口部６を合わせティッシュ７を引き出して使用する。
【符号の説明】
【００１１】  １  壁掛け型ティッシュケース
２  箱入りティッシュ
３  木ネジ締め付けようドライバー通し穴
４  木ネジ用穴
５  壁掛け型ティッシュケース開口部
６  箱入りティッシュ開口部
７  ティッシュ
８  壁
９  壁掛け型ティッシュケース取付け木ネジ
１０  床置き型ティッシュケース
１１  床置き型ティッシュケース開口部
１２  床置き型ティッシュケース固定柱
１３  床置き型ティッシュケース底版
１４  壁掛け型ティッシュケース箱入りティッシュ挿入口
１５  床置き型ティッシュケース箱入りティッシュ挿入口
【図１】
0003218630.tif 000003
【図２】
0003218630.tif 000004
【図３】
0003218630.tif 000005
【図４】
0003218630.tif 000006
【図５】
0003218630.tif 000007
【図６】
0003218630.tif 000008
【図７】
0003218630.tif 000009
【図８】
0003218630.tif 000010
【手続補正書】
【提出日】平成30年7月26日(2018.7.26)
【手続補正１】
【補正対象書類名】実用新案登録請求の範囲
【補正対象項目名】全文
【補正方法】変更
【補正の内容】
【実用新案登録請求の範囲】
【請求項１】
箱入りティッシュ（２）を挿入可能であり、勾配の付いた壁掛け型ティッシュケース（１）であって、前記壁掛け型ティッシュケース（１）の底面には木ネジ用の穴（４）が設けられ、前記壁掛け型ティッシュケース（１）の上面には木ネジ締め付け用のドライバー通し穴（３）が設けられ、前記木ネジ用の穴（４）は、木ネジ（９）を使って前記壁掛け型ティッシュケース（１）を壁（８）に固定するためのものであり、壁（８）の内部にある垂直な根太と平行になるように前記壁掛け型ティッシュケース（１）では斜の位置取りとなることを特徴とする壁掛け型ティッシュケース（１）。
【請求項２】
箱入りティッシュ（２）を挿入可能であり、勾配の付いた床置き型ティッシュケース（１０）であって、前記床置き型ティッシュケース（１０）は、固定柱（１２）と底版（１３）と一体となっていることを特徴とする床置き型ティッシュケース（１０）。
(57)【要約】      （修正有）【課題】バイク等に簡単かつスピーディーにシートを設定し、紫外線、雨、鳥の糞及び猫の糞尿から保護できるシンプルバイクカバーを提供する。【解決手段】シート本体の前部と後部の四方にゴム紐付きのフックを備える。フックが４個付いているので、ハンドル等に引っ掛けて展張することによりバイク等に簡単に固定して保護できる。【選択図】図１
0003218628.tif 000002
【実用新案登録請求の範囲】
【請求項１】
バイクや自転車の保護用シートであり、既存のシートは全体を覆うものだが今回考案のシートは上部のみから保護を実施するものである。
また、収納時もコンパクトに折り畳むことができる。
【考案の詳細な説明】
【技術分野】
【０００１】バイクや自転車への紫外線による劣化防止や雨・ほこりによる汚れ防止及び猫の尿による汚損防止
【背景技術】
【０００２】従来のバイクカバー等はバイク本体を覆うタイプのものであり、設定に手間がかかるうえカバーの収納も面倒だった。そこで、カバーの最低限の要素を備えたものを考案したかった。
【考案の概要】
【考案が解決しようとする課題】
【０００３】    カバーを設定した後、風による離脱や紛失
【課題を解決するための手段】
【０００４】    カバーの前部はゴム紐付きのフックでハンドルに固定し、カバーの後部もゴム紐付きのフックにより固定する。収納時も小さく折り畳むことができる。
【考案の効果】
【０００５】大切なバイクや自転車だが屋外で保管せざるを得ない場合でも簡単にカバーによる保護を行うことができる。
【図面の簡単な説明】
【図１】  本考案のシンプルバイク自転車カバーを設定する際の平面図である。
【図２】  本カバーの立面図である。
【０００６】  １２０センチメートル×５０センチメートルの長方形のシートをバイクや自転車にゴムひも付きフックで展張する。
長方形のシートのサイズは３種類とし、大型バイクから原付バイクまで対応できる。
サイズ大は１２０センチメートル×５０センチメートルの長方形、
サイズ中は１００センチメートル×４０センチメートルの長方形、
サイズ小は８０センチメートル×３０センチメートルの長方形とする。
【図１】
0003218628.tif 000003
【図２】
0003218628.tif 000004
【手続補正書】
【提出日】平成30年8月15日(2018.8.15)
【手続補正１】
【補正対象書類名】実用新案登録請求の範囲
【補正対象項目名】全文
【補正方法】変更
【補正の内容】
【実用新案登録請求の範囲】
【請求項１】
シンプルバイクカバーであって、長方形のシートと前記シートの前部及び後部にゴムひも付きのフックを備え前記フックによりバイクを固定することを特徴とするシンプルバイクカバー。
【手続補正２】
【補正対象書類名】明細書
【補正対象項目名】全文
【補正方法】変更
【補正の内容】
【考案の詳細な説明】
【技術分野】
【０００１】バイクへの紫外線や雨による汚れ防止
【背景技術】
【０００２】従来のバイクカバーは設定に手間がかかるので考案した。
【考案の概要】
【考案が解決しようとする課題】
【０００３】カバー設定後の風による離脱
【課題を解決するための手段】
【０００４】カバーはゴム紐付きのフックで固定する。
【考案の効果】
【０００５】バイクの保護を簡単に行うことができる。
【図面の簡単な説明】
【０００６】
【図１】本考案のシンプルバイクカバーを設定する際の平面図である。
【図２】本カバーの立面図である。１２０センチメートル×５０センチメートルの長方形のシートをバイクにゴムひも付きフックで展張する。
(57)【要約】      （修正有）【課題】シャンプー剤を使わず、ペットをオゾン湯で循環洗浄する、循環式ペットバスを提供する。【解決手段】ペット用バス１と、お湯溜めケース３の送水口をホース２で繋ぎ組み合わせ、お湯溜めケース３内の循環ポンプ４の吐出口に取り付けたシャワーホース５で、シャンプー剤を使わずお湯を循環させてペットを洗う、循環式ペットバスであって、お湯溜めケース３と、オゾン発生装置６のパイプを接続し組み合わせ、循環しているお湯をオゾン湯に変換してペットを洗う。【選択図】図１
0003218635.tif 000002
【実用新案登録請求の範囲】
【請求項１】
ペット用バスと、お湯溜めケースの送水口をホースで繋ぎ組み合わせ、お湯溜めケース内の循環ポンプの吐出口に取り付けたシャワーホースで、シャンプー剤を使わずお湯を循環させてペットを洗う、循環式ペットバス。
及び、請求項１のお湯溜めるケースと、オゾン発生装置のパイプを接続し組み合わせ、循環しているお湯をオゾン湯に変換してペットを洗う、循環式オゾンペットバス。
【考案の詳細な説明】
【技術分野】
【０００１】本考案は、シャンプー剤を使わず、ペットをオゾン湯で循環洗浄するペット用バスに関する。
【背景技術】
【０００２】シャンプー剤を使うことで、シャンプー作業と、ススギ作業での手間や、ペットへのストレスやシャンプー剤での、アレルギーや、ススギ不足からなるトラブルが生じた。
【考案の開示】
【考案が解決しようとする課題】
【０００３】シャンプー剤を使っての方法では、多量のお湯を使っての洗い作業と、多量のお湯を使ってのススギ作業はペットにも洗う人にも、時間と労苦が大きく又、ススギ不足はかえって汚れの原因になり不衛生、不健康の原因を生む。
【課題を解決する為の手段】
【０００４】通常の汚れはお湯の温度３６Ｃ°くらいと、水その物の性質でペットを洗うことが出来るので、ペットに僅か５分くらいお湯を循環さし、ペットに流すだけで洗うことが出来る。
同時にお湯を湯溜めケースに接続したオゾン発生器で、お湯がオゾン湯になり、オゾンの働きで消毒、殺菌、消臭にも働く。
【考案の効果】
【０００５】お湯をオゾン発生器で、オゾン湯にして、循環させ、ペットに５分ぐらい流すだけで洗うことが出来るのは，労苦、時間、ストレスから開放され、又、ススギ不足から発生する、汚れの原因、悪臭、飛び散りや、ペットの目、鼻、口に入っても水なので軽く拭くだけで安全、安心。
また、オゾン湯は殺菌、消毒、消臭、も同時に作用する。
【考案を実施するための最良の形態】
【０００６】本考案による循環式オゾンペットバスは、ペット用バスと、オゾン装置付き循環ポンプボックスからなる。
ペット用バスの下方の送水口と、お湯溜めケースとをホースで接続し、ペット用バスから送られてきたお湯を循環ポンプが吸い上げ、ケースに溜まったお湯を、循環ポンプの噴出口にシャワーホースで接続したホースでお湯を循環させペットを洗う。
同時に、循環ポンプボックスに設置したオゾン発生装置のパイプをお湯溜めケースにセットし、オゾンを発生させ、お湯溜めケースの中の湯をオゾン湯にしてペットに流し、洗い、殺菌、消毒、消臭、を同時におこなう。
【図面の簡単な説明】
【０００７】
【図１】本考案によるシャンプー剤を使わない、循環式オゾンペットバスのペットバスと循環式オゾンポンプ、及びケースの配置図である。
【符号の説明】
【０００８】１    ペット用バス
２    接続ホース
３    お湯溜めケース
４    循環ポンプ
５    シャワーホース
６    オゾン発生器
７    スイッチ
８    電源
９    循環ポンプボックス
１０  電源コード
【図１】
0003218635.tif 000003
【手続補正書】
【提出日】平成30年8月16日(2018.8.16)
【手続補正１】
【補正対象書類名】実用新案登録請求の範囲
【補正対象項目名】全文
【補正方法】変更
【補正の内容】
【実用新案登録請求の範囲】
【請求項１】
ペット用バスと、お湯溜めケースの送水口をホースで繋ぎ組み合わせ、前記お湯溜めケース内の循環ポンプの吐出口に取り付けたシャワーホースで、シャンプー剤を使わずお湯を循環させてペットを洗う、循環式ペットバス。
【請求項２】
前記お湯溜めケースと、オゾン発生装置のパイプを接続し組み合わせ、循環しているお湯をオゾン湯に変換してペットを洗う、請求項１に記載の循環式ペットバス。
(57)【要約】      （修正有）【課題】ペイパーホルダーから、取り出しやすくするトイレットペーパーを提供する。【解決手段】トイレットペーパー２のミシン目を、端部で斜めにする。【選択図】図１
0003218633.tif 000002
【実用新案登録請求の範囲】
【請求項１】
ペイパーホルダーのふたを持ち上げないと、トイレットペーパーが取出しにくい、ミシン目を端部で斜めにすることにより、ペイパーホルダーから、トイレットペーパーを取り出しやすくなる。
【考案の詳細な説明】
【技術分野】
【０００１】本考案は、トイレットペーパーのミシン目を端部で斜めにすることにより、トイレットペーパーが取出しやすくなる。
【背景技術】
【０００２】トイレットペーパーのとりだしは、ペーパーホルダーのふたを上にあげて取出していた、他の人が触った蓋を触るのは衛生的でない。
【先行技術文献】
【特許文献】
【０００３】
【特許文献１】
【非特許文献】
【０００４】
【考案の概要】
【考案が解決しようとする課題】
【０００５】トイレットペーパーが、ペーパーホルダーから取出しにくい、端部でミシン目を斜めにする事により、取り出しやすくなり、前述の欠点を解決しようとするものである。
【課題を解決するための手段】
【０００６】本考案は、トイレットペーパーのミシン目を、端部で斜めにする事により、トイレットペーパーが取り出しやすくなり、問題点を解決している。
【考案の効果】
【０００７】トイレットペーパーがなかなか取出せない、イライラがなくなり、時間の短縮にもなり、スムーズに取り出せて衛生的である。
【図面の簡単な説明】
【０００８】
【図１】本考案は、トイレットペーパーのミシン目を端部で斜めにする事を示す、面図である。
【考案を実施するための形態】
【０００９】トイレットペーパーのミシン目を、端部で斜めにする事により、ペイパーホルダーからトイレットペーパーを取り出した際、
ペイパーホルダーから一部トイレットペーパーがはみ出した状態になり、次にトイレを使用する人が、スムーズにトイレットペーパーを取り出せるようになる、
【実施例】
【００１０】従来のトイレットペーパーのミシン目は平行であった為、取出しにくいため、ミシン目を端部で斜めにする事により、取り出しやすくする。
【符号の説明】
【００１１】１  ペーパーホルダー  カバー
２  トイレットペーパー
【図１】
0003218633.tif 000003
【手続補正書】
【提出日】平成30年8月16日(2018.8.16)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーのミシン目を、端部で斜めにすることにより、ペーパーホルダーから、取り出しやすくなることを特徴とするトイレットペーパー。
(57)【要約】      （修正有）【課題】円形容器の保護袋を提供する。【解決手段】円形容器の保護袋は、円形容器の直径の逆円形の半円２に切り取られた袋の底部１と、円形容器部の円周の半分の袋部幅に製袋された円形容器の袋部とを備える。【選択図】図１
0003218631.tif 000002
【実用新案登録請求の範囲】
【請求項１】
円形容器の保護袋の製袋方法の考案である、袋の底部を円形容器の直径の逆円形の半円に切り取る、円形容器の袋部を円形容器部の円周率の、半分の袋部幅に製袋する、円形容器の保護袋。
【考案の詳細な説明】
【考案の開示】
【考案が解決しようとする課題】
【０００１】  本考案は、円形容器を破損より保護することを課題とする。【０００２】  円形容器の保温、保冷を課題とする。
【考案が解決するための手段】
【０００３】  本考案は、円形容器を破損、保温、保冷に適した、素材にて、製袋を行う。
【０００４】  円形容器の底部を円形容器の直径の逆円形の半円に切り取る。
【０００５】  円形容器袋部は容器の円周の半分の幅に製袋する。
【考案の効果】
【産業上の利用可能性】
【０００６】  円形容器の破損、保温、保冷を考案の効果とする、円形容器の保護袋。【０００６】
【考案の実施するための最良の形態】
【０００７】  本考案の実施の形態を図面を参照しながら詳細に説明する。なお、以下の説明にあたって、同一構成要件については、同一符号を付けて、重複した説明を省略する。
【０００８】  本考案は、円形容器を破損、保温、保冷に適した、素材にて、製袋を行う。
【０００９】  本考案は、素材を二つ折５にして、製袋を行う。
【００１０】  本考案の、円形容器の袋底部１を円形容器の直径に切り落とす。
【００１１】  上記、袋底部の高さを円形容器の直径の逆円形半分２とする。
【００１２】  円形容器本体部を、円形容器の円周数の半部３とする。
【００１３】  上記、円形容器本体部の両横部を、二つ折素材の両横部４を製袋接着を行う。
【００１４】  上記、円形容器本体長さに、よって、円形容器の保護袋の長さにする。
【図面の簡単な説明】
【図１】  本考案に係る一例を示す正面図。
【図２】  図１の説明正面図。
【符号の説明】１    底部逆半円
２    逆半円
３    袋部円形容器挿入部
４    袋本体部両横接着部
５    袋部両横接着部
【図１】
0003218631.tif 000003
【図２】
0003218631.tif 000004
【手続補正書】
【提出日】平成30年8月10日(2018.8.10)
【手続補正１】
【補正対象書類名】実用新案登録請求の範囲
【補正対象項目名】全文
【補正方法】変更
【補正の内容】
【実用新案登録請求の範囲】
【請求項１】
円形容器の保護袋の考案である、袋の底部を円形容器の直径の逆円形の半円に切り取とられた袋の底部と、円形容器部の円周の半分の袋部幅に製袋された円形容器の袋部とを備えた円形容器の保護袋
(57)【要約】      （修正有）【課題】屈曲位に拘縮のある使用者の肘をサポートする肘用クッションを提供する。【解決手段】拘縮傾向または、拘縮している使用者の上肢と体幹の間に挟んで使用するもので、上腕に当接する第１の面と、前腕に当接する第２の面と、体幹に当接する第３の面を有し、使用者の肘を伸展位でサポートする。【選択図】図４
0003218700.tif 000002
【実用新案登録請求の範囲】
【請求項１】
拘縮傾向または拘縮している使用者の上肢と体幹の間に挟んで使用するもので、上腕に当接する第１の面と、前腕に当接する第２の面と、体幹に当接する第３の面を有し、使用者の肘を伸展位でサポートする肘用クッション。
【考案の詳細な説明】
【技術分野】
【０００１】
本考案は、屈曲位に拘縮のある使用者の肘をサポートするクッションに関する。
【背景技術】
【０００２】
使用者が何らかの原因で屈曲位に肘の拘縮が見られる場合可動域の維持が必要となる。市場では上肢をクッションの上に載せ使用することが行われている。
【考案の概要】
【考案が解決しようとする課題】
【０００３】
肘を良肢位にするために他の物で代用しているケースもあるが、程よく伸展出来る硬さ、上肢にフィットする形と大きさが必要である。
しかしながら、肘の拘縮に対応する肘専用クッションの存在はない。
【課題を解決するための手段】
【０００４】
拘縮傾向、または拘縮している使用者の上肢と体幹の間に挟んで使用するもので、上腕に当接する第１の面と、前腕に当接する第２の面と、体幹に当接する第３の面を有し、使用者の肘を伸展位でサポートする肘用クッション。
【考案の効果】
【０００５】
上記肘用クッションによれば、拘縮または拘縮傾向のある使用者の肘を可動域内で自然な伸展位でのサポートをする事が出来、よってリハビリの可動域訓練後など伸展位の維持が可能になる事でより効果が期待でき
また介護、看護などに際してもスムーズな介助が出来、負担の軽減になる。
【図面の簡単な説明】
【０００６】
【図１】肘用クッションを示す平面図である。
【図２】肘用クッションの立体図である。
【図３】肘用クッションの展開図である。
【図４】肘用クッションの使用状態を示す図である。
【考案を実施するための形態】
【０００７】
以下の図面を参照しながら、本実施形態の肘用クッションを具体的に説明する。図１は本実施形態の平面図であり、図２は肘用クッションの立体図であり、カバーの外袋２と中身の入っている内袋３は同じサイズで作成している。図３は正面、左側面、右側面、底面で見た図である。図4は使用例である。
【０００８】
図１を参照しながら肘用クッションを説明する。Ａ点は肘の内側をサポートする、Ｂ点は脇をサポートしＣ点は手首内側をサポートする、A点、B点、C点は実例では丸みをおびる。A点からB点とA点からC点は直線でありB点からC点はカーブ1の部分で内側に３ｃｍカーブを作る事で体幹部に自然とフィットする形をしている。
【０００９】
そして、図２は立体図で外袋２と、内袋３から成り同じサイズで形成している。外袋２はカバーである。この製品ではパイル地を使用しているが、合皮や肌触りのよい生地等での変更も可能である。
外袋２のｃ面、b1面の間にファスナー４があり内袋３が入る。
そして内袋３はメッシュ素材にし、程よい硬さにするために本実施形態では中身はFF8パイプを使用している。内袋３の中身は他にもウレタンフオームでの代用なども可能である、また、外袋２と同じ場所にファスナーを付けているので、中身を出し入れすることで硬さの調整が出来る。外袋２、内袋３ともに汚れた時にはそれぞれ洗浄出来るので衛生的である。
【００１０】
次に、図３では各方向から見た図で説明する。右側a面（第3の面）は体幹側をサポートする面で長さは本実施では平均的な350mmとしている。また厚みをつくり安定するようにしている本実施形態では平均的な80mmとしているが、65mm〜100mmと体格に合わせて形成が可能である。
ｂ1面は対称で身体の表面と裏面になる。また、左側C面（第2面）は長さを本実施形態では280mmで作製している。C面は前腕の内側をサポートしながら底面d面につながり上腕をサポートする。底面ｄ面（第1の面）は上腕に当接し本実施形態では200mm長さで形成している。A点の角度は95°から100°が自然な角度となる。本実施では肘が自然な角度となる平均的な97°で形成している。
【００１１】
本実施では平均的なMサイズで作製しているが以下の表に示すSサイズ、Lサイズに形成することが出来る。また基本的なサイズ展開の他に、使用者のサイズに合わせて各部の寸法を合わせて形成することが可能でる。
【００１２】
【表１】
0003218700.tif 000003
【００１３】
そして、図４は使用例の図であり、基本は仰臥位の安静時に使用するもので腕と体幹の間に抱えるように挟み使用する。
時々、外し関節運動も行いながら状態を見ながら使用するものである。
【符号の説明】
【００１４】
１  カーブ（屈曲部）
２  外袋
３  内袋
４  ファスナー
【図１】
0003218700.tif 000004
【図２】
0003218700.tif 000005
【図３】
0003218700.tif 000006
【図４】
0003218700.tif 000007
(57)【要約】      （修正有）【課題】旅先に、バックに入れて気軽に持運びが出来、一人で棋譜並べで楽しむ事が出来る空気注入碁盤を提供する。【解決手段】一平面に碁盤線が描かれている可撓性容器１の空気注入口２に空気注入ポンプの空気注入針を差し込んで、空気注入ポンプ本体にて空気を注入し可撓性容器を膨らませて、碁盤を形成する。可撓性容器の空気を抜けば丸めたり、折りたたんだり出来る。【選択図】図１
0003218697.tif 000002
【実用新案登録請求の範囲】
【請求項１】
中に空気を注入するための空気注入口を備えた四角体状の可撓性容器であって、この容器の一平面には碁盤線が描かれていることを特徴とする空気注入碁盤。
【考案の詳細な説明】
【技術分野】
【０００１】
本考案は、囲碁に使用する碁盤に関するものである。
【背景技術】
【０００２】
碁盤は、主に木製で出来ているタイプが従来のものである。
【考案の概要】
【考案が解決しようとする課題】
【０００３】
木製の碁盤は、厚さ１ｃｍ位の平板盤か、折り畳み碁盤、厚手の平板碁盤、脚付き碁盤等あるが、格納時、スペース取るのと、厚手の平板碁盤、脚付き碁盤は重さもあり、持運び困難であった。
【課題を解決するための手段】
【０００４】
上記課題を解決するために、本考案の空気注入碁盤は、中に空気を注入するための空気注入口を備えた四角体状の可撓製容器であって、この可撓製容器の一平面には碁盤線が描かれていることを特徴とする。
【考案の効果】
【０００５】
本考案の空気注入碁盤には、次のような効果がある。
（１）  旅先に、バックに入れて気軽に持運びが出来、一人で棋譜並べで楽しむ事が出来る。
（２）  木製の碁盤の表面は、キズが付きやすいので、市民センター施設を利用し碁会所を開いてクラブ活動している所は多くの碁盤を使用しているのでキズがつかない様に慎重なる取扱いが必要となるが、空気注入碁盤はそんな心配が無い。
又格納場所から碁盤、碁石を並べたり、又格納したりするが、空気注入碁盤は軽いので、取扱い安い。
（３）木製の碁盤は、碁石を強く打つと「バシッ」と音がする。中国では、マナーが悪いとされる。空気注入盤は音がしない。
（４）碁盤を小さくすれば、子供達も安全で、取扱い安い。
【図面の簡単な説明】
【０００６】
【図１】（ａ）本考案の空気注入碁盤の正面図（ｂ）本考案の空気注入碁盤の側面図（ｃ）（ａ）のＡ−Ａ断面図
【図２】本考案の空気注入碁盤に使用する空気注入ポンプの概略図
【考案を実施するための形態】
【０００７】
図１は本考案の空気注入碁盤を示す図であり、図１（ａ）本考案の空気注入碁盤の正面図、図１（ｂ）は本考案の空気注入碁盤の側面図、図１（ｃ）は図１（ａ）のＡ−Ａ断面図である。また、図２は図１の空気注入碁盤に使用する空気注入ポンプの概略図である。図１において、空気注入碁盤は空気を入れると四角体形状に膨らむゴム容器１であり、ゴム容器１には空気注入口２が設けられている。この空気注入口２に図２に示す空気注入ポンプ４の空気注入針５を刺して空気を注入することにより、ゴム容器１は内部の空気により膨らみ安定した四角体となる。また、ゴム容器１の正方形状の一平面には、碁盤線３が描かれており、ゴム容器１を膨らませることにより碁盤を形成する。
【０００８】
このように、本考案の空気注入碁盤は、ゴム容器に空気を注入しただけで簡単に碁盤を形成することが出来るし、又空気を抜けば、ゴム容器を丸めたり折りたたんだり出来る便利性を持ち合わせたものである。なお、容器の材質は、ゴム以外にプラスチック、皮等でも良い。
【符号の説明】
【０００９】
１  ゴム容器
２  空気注入口
３  碁盤線
４  空気注入ポンプ本体
５  空気注入針
【図１】
0003218697.tif 000003
【図２】
0003218697.tif 000004
(57)【要約】      （修正有）【課題】作業場など、屋外での手洗いや道具の洗滌用の、盥置き台であって、風雨に強く、盥の荷重に、ぐらつかず、移動可能なものを提供する。【解決手段】上部は板張りしない開放構造であり、正面は門形に開かれ、側面には把っ手口を備えた台をコンクリートで成形する。風雨に強く、発錆せず、荷重にも強い盥置き台となる。【選択図】図１
0003218265.tif 000002
【実用新案登録請求の範囲】
【請求項１】
コンクリートで成形した、盥置き用の台であって、台の上部を板張りしない開放構造を特徴とする、可動式の盥置き台。
【考案の詳細な説明】
【技術分野】
【０００１】工事現場や工場などで、手洗いや洗濯、道具の洗滌等は、必須の作業である。【０００２】洗滌作業は、洗剤・溶剤を使い、盥（たらい）を用いる。この作業の頻度は高い。
【背景技術】
【０００３】洗滌作業に用いる盥は、床や地面に直に置くことは少ない。これまでは、ありあわせの空き箱や飲料ビンのコンテナー等を、盥置き台として利用している。
【考案の概要】
【考案が解決しようとする課題】
【０００４】盥を安定して置くことができ、盥と水等の重量に耐える強度を持ち、ぐらつかない構造と材質を備えたい。【０００５】屋外で用いることができる、耐水性や防錆性を備えたい。【０００６】盥置き台は、持ち運びが、容易であること。
【課題を解決するための手段】
【０００７】請求項１の考案になる盥置き台は、図１の通りである。【０００８】本考案になる盥置き台の素材は、コンクリートである。コンクリートで成形するので、相応の重量を具える。このために、盥の荷重に、ぐらつくことがない。【０００９】本考案になる盥置き台は、コンクリート製であるため、屋外で使用することに、支障がない。雨ざらしでも、腐食や錆は生じない。【００１０】盥置き台の上部は、板張りしない構造を持つ。台の上部は開放されているため（図５）、雨ざらしでも汚れは無い。【００１１】本考案になる盥置き台は、把っ手口（１）を設けているので、持ち運びが容易である。【００１２】盥置き台の正面は、門形に開けている（図１）。これは、洗剤やブラシを収納する、スペースをつくるためのものである。
【本考案の効果】
【００１３】本考案によれば、安定した盥置き場を希望の場所に設けることができる。洗浄作業は、楽な姿勢で行えるようになった。
【図面の簡単な説明】
【００１４】
【図１】は、本考案になる盥置き台の斜視図。
【図２】は、盥置き台の正面図。
【図３】は、盥置き台の背面図。
【図４】は、盥置き台の側面図。左右同一。
【図５】は、盥置き台の上面図。
【図６】は、盥置き台の底面図。
【考案を実施するための形態】
【００１５】盥置き台の寸法（一例）を示せば、高さ４０ｃｍ、横巾４５ｃｍ、奥行き３０ｃｍ、厚みは３ｃｍ。
【符号の説明】
【００１６】１……１は、手の差し入れ口。
【図１】
0003218265.tif 000003
【図２】
0003218265.tif 000004
【図３】
0003218265.tif 000005
【図４】
0003218265.tif 000006
【図５】
0003218265.tif 000007
【図６】
0003218265.tif 000008
(57)【要約】      （修正有）【課題】より実践に近い形で、両面からそれぞれお金を正確に数える練習をすることを可能とする模擬紙幣を提供する。【解決手段】模擬紙幣は、現行の紙幣と縦・横・厚さが略同一の寸法に形成され、その表面及び裏面にそれぞれ現行紙幣の絵柄をモチーフとした絵柄を印刷するともに、表面の中央部に大きく「表」の文字を印刷し、裏面の中央部に大きく「裏」の文字を印刷したことを特徴とする。図案を本物に近づけることは法令上問題があるため、あくまでも本物ではなく、模擬紙幣であると完全に認識できるデザインを用いる。【選択図】図１
0003218266.tif 000002
【実用新案登録請求の範囲】
【請求項１】
現行の紙幣と縦・横・厚さが略同一の寸法に形成され、その表面及び裏面にそれぞれ現行紙幣の絵柄をモチーフとした絵柄を印刷するともに、表面の中央部に大きく「表」の文字を印刷し、裏面の中央部に大きく「裏」の文字を印刷したことを特徴とする模擬紙幣。
【考案の詳細な説明】
【技術分野】
【０００１】  本考案は、お札の勘定を練習する際に用いる模擬紙幣を改良し、より本物の紙幣に近い感覚で練習できる模擬紙幣を提供するものである。なお、あくまでも練習用の模擬紙幣であり、これは本物の紙幣を模倣するような公序良俗に反するようなデザインは一切用いない。
【背景技術】
【０００２】  従来の模擬紙幣は、片面だけがお札をモチーフにした柄で印刷されたものであったが、これは本物の紙幣を数える感覚とは程遠いため、実践的なお札の勘定ができないという欠点があった。このような欠点に対応する模擬紙幣は市場になく、類似の先行技術として、特許文献１のような「防犯用模擬札束」があるが、上述の従来の模擬紙幣の欠点を解消するものではない。
【先行技術文献】
【特許文献１】公開実用新案公報昭５９−４０９４号
【考案の概要】
【考案が解決しようとする課題】
【０００３】  本来、お札の勘定の練習は、紙幣の表面、裏面のそれぞれを１枚ずつ高速で数えることが基本であるが、本考案は、従来の片面が無地の模擬紙幣では、無地の側は勘定の際に視覚的に読みづらく、枚数が数えにくいという欠点を解消することを目的とする。
【課題を解決するための手段】
【０００４】  上記課題を解決するため、本考案の模擬紙幣は、現行の紙幣と縦・横・厚さが略同一の寸法に形成され、その表面及び裏面にそれぞれ現行紙幣の絵柄をモチーフとした絵柄を印刷するともに、表面の中央部に大きく「表」の文字を印刷し、裏面の中央部に大きく「裏」の文字を印刷したことを特徴とする。
本考案の模擬紙幣の絵柄は、図案を本物に近づけることは法令上問題があるため、あくまでも本物ではなく、模擬紙幣であることを完全に認識できるデザインを用いるものである。
【考案の効果】
【０００５】  本考案は、より実践に近い形で両面からそれぞれ紙幣を正確に数える練習をすることを可能とする。【０００６】  また、表面から勘定し、再び裏面から勘定するということは、お札の枚数をより正確にする上で欠かせない作業であり、これを習慣づける動機となるものである。
【図面の簡単な説明】
【図１】（Ａ）は、模擬紙幣の表面のデザインである。（Ｂ）は、模擬紙幣の裏面のデザインである。
【考案を実施するための形態】
【０００７】  以下、本考案の模擬紙幣の実施例について図に基づいて説明する。ここで、図１（Ａ）は本考案に係る模擬紙幣の表面の平面図である。図１（Ｂ）は模擬紙幣の裏面である。
【０００８】  図１において、模擬紙幣は現行の１万円札・５千円札・千円とほぼ同一の寸法である。また、模擬紙幣の紙質は現行の紙幣に近いザラザラした上質紙等が適している。コート紙や、アート紙等の表面がつるつるした感触の紙は不適である。これは、本考案の模擬紙幣を使って札の勘定の練習をするときに、本物のお札とほぼ同じ感触を得られなければ、本考案の目的を達成することができないからである。
【０００９】  本考案の模擬紙幣の表面及び裏面は、図１（Ａ）（Ｂ）に示すように、現行紙幣の絵柄をモチーフとした絵柄であるが、現行の紙幣の絵柄とは明確に区別できるデザインを採用する。図の実施例では、表面に「札勘練習用」「札勘の達人」「模擬銀行」の文字を配置し、裏面には「札勘の達人」「模擬銀行」の文字を配置し、さらに、表面の中央部に大きく「表」の文字を配置し、裏面の中央部に大きく「裏」の文字を配置して印刷してある。
このような絵柄を印刷することにより、札の勘定を練習するときに、明確に札の表面と裏面を認識することができる。
また、本考案の模擬紙幣が本物の紙幣と間違われることはなく、偽札として違法目的に使われることも防止できる。
【符号の説明】  １    模擬紙幣
１１  模擬紙幣の表面
１２  模擬紙幣の裏面
【図１】
0003218266.tif 000003
(57)【要約】      （修正有）【課題】中綿入りのフードを見た目よく折り曲げることができる上着を提供する。【解決手段】上着１は、中綿入りのフード６を有している。上着１の襟ぐりには中綿入りの生地からなる台襟５が形成されており、フード６は台襟５の上端で縫合されている。フード６の頂点には、テープ状のフック７が設けられている。後身頃３の内側にはボタン８が設けられており、フード６を使用しない場合にはフード６を縫合線１０の位置で内側に折り曲げると、フック７をボタン８に掛けて固定することができる。台襟５は立襟の形態になる。【選択図】図２
0003218283.tif 000002
【実用新案登録請求の範囲】
【請求項１】
フードを有する上着であって、上着の襟ぐりには中綿入りの生地からなる台襟が形成されており、前記フードは中綿入りの生地で前記台襟の上端で縫合され、前記フードの頂点にはテープ状のフックが設けられ、前記フードを前記台襟の上端の縫合線の位置で内側に折り曲げられた際に前記フックが対応する後身頃の位置にボタンが設けられており、前記フードを使用しない場合には前記フックを前記ボタンに掛けて固定し、前記台襟が立襟の形態になることを特徴とする上着。
【考案の詳細な説明】
【技術分野】
【０００１】
本考案は、フード付き上着に関するものである。
【背景技術】
【０００２】
フードを使用しない場合に、フードを上着内に収容する技術が知られている。例えば、特許文献１によれば、フードを折り畳んで、身頃とフードの縫合線上又は縫合線よりも下方に設けられた結束紐により、折り畳んだフードを結束して収容するパーカ型雨具のフード折りたたみ構造が知られている。また、特許文献２によれば、立襟部分にファスナーを設け立襟の内側にフードを畳み込む衣服用襟兼用型フードが知られている。
【先行技術文献】
【特許文献】
【０００３】
【特許文献１】実用新案登録第３１７１９９２号公報
【特許文献２】実開平６−２０４１５号公報
【考案の概要】
【考案が解決しようとする課題】
【０００４】
特許文献１の技術は雨具であって、防寒を目的としたものでは無いので、フードは合成繊維を基布として表面に撥水性が与えられ、裏面には塩化ビニール樹脂のコーティング等による防水性が与えられる等、基本的には薄状の布であるので、折り畳んでもさほど膨大状になるものでは無い。また、特許文献２の技術は、スキーウェアやウインドブレーカーを対象としており衣服本体は防寒に対応するものであるが、フードについては薄質のシート部材を剥ぎ継ぎしたものであり、特許文献１と同様に薄状の布である。
【０００５】
一方、このような技術を中綿入りのフードに対して適用すると、丸めて結束紐によりフードを結束する特許文献１および、襟回りの立襟の内側に畳みこむ特許文献２においてでは、襟回りがドーナッツ状に膨大し、見た目がよくない。また、特許文献２では、畳みこんで膨大したフードが収容された立襟のファスナーを締めるのは困難である。
そこで、本考案は、綿入りフードを簡単に見た目よく折り畳める上着を提供することを目的とする。
【課題を解決するための手段】
【０００６】
上記目的を達成するために、本考案の上着は、フードを有する上着であって、上着の襟ぐりには中綿入りの生地からなる台襟が形成されており、前記フードは中綿入りの生地で前記台襟の上端で縫合され、前記フードの頂点にはテープ状のフックが設けられ、前記フードを前記台襟の上端の縫合線の位置で内側に折り曲げた際に前記フックが対応する後身頃の位置にボタンが設けられており、前記フードを使用しない場合には前記フックを前記ボタンに掛けて固定し、前記台襟が立襟の形態になることを特徴とする。
【考案の効果】
【０００７】
本考案によれば、フードを後に垂らした時に、台襟の上端で折り曲がり、台襟を整えることで首回りがきれいに見える。フードを使用しない場合、内側に折り曲げ、フックとボタンで、フードを固定でき、台襟の上端で内側に折り曲げているため、外観は立襟の形態となり首回りがすっきりする。
【図面の簡単な説明】
【０００８】
【図１】本考案に係る上着を示した図であり、図１Ａは正面図、図１Ｂは背面図、図１Ｃはフードを背中の外側に垂らした状態を示した図である。
【図２】上着の前身頃を拡げて内側を示した図であり、図２Ａはフードを平らにした状態を示す図、図２Ｂはフードを内側に折り曲げた状態を示す図、図２Ｃはフードを中に折り曲げて前身頃を閉じた状態の正面図である。
【考案を実施するための形態】
【０００９】
以下、本考案に係る上着の一実施の形態について、図１〜図２に基づいて説明する。
図１は本考案に係る上着を示した図であり、図１Ａは正面図、図１Ｂは背面図である。上着１は左右の前身頃２、後身頃３、袖４、台襟５、フード６からなる。生地は表生地、中綿、裏生地が重ねて形成されている。
【００１０】
図１において、台襟５は、中綿入りの生地からなり襟ぐり９に沿って設けられている。台襟５の上端に中綿入り生地のフード６が縫着され、フード６は上着１と一体となっている。フード６と台襟５を縫着するとき、台襟５の上端の位置において、台襟５とフード６を構成する布が重なり、台襟５の少なくとも上端が固く、フード６は台襟５との縫合線１０に沿ってフード６を台襟５から前後に折り曲げやすいようになっている。台襟５に芯を入れて縫合線１０に沿ってフード６を台襟５から前後に折り曲げやすいようにしても良い。
【００１１】
フード６をかぶらずに、背中の外側に垂らす場合には（図１Ｃ参照）フード６は縫合線１０で折り曲げて、台襟５を整える。台襟５の上端が襟ぐり９より高い位置となるので、フード６も肩から立ち上がり状になり見栄えがよい。
【００１２】
図２において、フード６の頂点付近にテープ状のフック７が縫い付けられている。一方、ボタン８が後身頃３に縫着されている。フード６を台襟５の縫合線１０の位置で背中の内側に折ると（図２Ｂ参照）、折られたフード６のフック７位置にボタン８が位置しており、このボタン８にフック７を掛けてフード６を固定することができる。
【００１３】
図２Ｃは、フード６を上着１の中に折り畳んで前身頃を閉じた状態を示している。台襟５が立った状態である。また、フード６を内側に一回折られて、薄く引き延ばされた状態であるだけなので、首回りはかさばらず、台襟５は立襟の形態になり、見た目がすっきりするものとなる。フック７はフード６の頂点付近に設けられており、上着１を脱いだ際には、フック７を利用して上着を吊しておくことができる。
【符号の説明】
【００１４】
１    上着
２    前身頃
３    後身頃
４    袖
５    台襟
６    フード
７    フック
８    ボタン
【図１】
0003218283.tif 000003
【図２】
0003218283.tif 000004
(57)【要約】      （修正有）【課題】薄地のプラスチックシートを用いて容易に組み立てられ、かつ十分な強度を持つ物品組み立て用プラスチックシートから作り出す事ができる組立式お面を提供する。【解決手段】薄地のプラスチックシートであって、トムソン型を使用して打ち抜かれた物品の上部と下部に差し込みｔ１、ｔ２、ｔ５、ｔ６と、この差し込み部に差し込み組み合わせるスリットｓ１〜ｓ８を備えることで、当該部品をシートから外して組み立てるときに、糊やテープ等の接着道具を用いること無く簡単にお面を作製できる。【選択図】図２
0003218238.tif 000002
【実用新案登録請求の範囲】
【請求項１】
薄地のプラスチックシートであって、トムソン型を使用して打ち抜かれた物品の上部と下部に差し込み部と、この差し込み部に差し込み組み合わせる切込み部を備えることで、当該部品をシートから外して組み立てるときに、糊やテープ等の接着道具を用いること無く簡単にお面を作製できる事を特徴とする組立式お面。
【請求項２】
請求項１に記載の組立式お面の上部と下部に構成される差し込み部と、この差し込み部に差し込み組み合わせる切込み部は、差し込み部の一部として構成されたスリットの始点を中心点とする扇形の円弧上に構成され、このとき差し込み部は上記スリットによってそのおおよそ半分を貫かれたことでフック構造を構成している事を特徴とする組立式お面。
【請求項３】
請求項１に記載の組立式お面の差し込み部、切込み部、スリットはスリットの始点を中心点とする扇側の円弧上に構成されることで、差し込み部と切込み部を組み合わせた時に材料同士の重なり部分が出来、お面に立体的なふくらみをもたらす事を特徴とする組立式お面。
【請求項４】
請求項１に記載の組立式お面は汎用的なお面の製造に必要な真空成型または射出成型を必要としないことで、プラスチックシートに限ることなく紙、塩化ビニールでも同様に立体的なお面を作成できる事を特徴とする組立式お面。
【考案の詳細な説明】
【考案の詳細な説明】
【技術分野】
【０００１】  本考案は主として、フィルムシート材料に対して施された、多目的に使用できる利便性の高いノベルティー商品に関するものである。
【背景技術】
【０００２】  従来のお面は、ポリエチレン素材やポリカーボネイト素材を用いた真空成型あるいは射出成型によって作成されていた。また、成型作業後に手作業による着色作業が必要な場合もあった。
【考案が解決しようとする課題】
【０００３】  成形工程によって作成されたお面は立体的で、形状も均一であり、金型作成によるコストの高騰がネックとなっていた。また、完成形が立体であることで納品時の容積が嵩張り輸送料の高騰につながっている。
【課題を解決するための手段】
【０００４】  トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
納品時にシート状であることで粗油送料の高騰を抑えることが出来る。
【考案を実施するための形態】
【０００５】  図１は本考案の組立式お面（１）の平面図である。組立式お面（１）はフィルムシートよりなり、トムソン加工によって打ち抜かれた任意の物品が備えられている。組立式お面（１）には、組み立てることでお面になる（２）がお面を構成するためのスリット部（Ｓ１）（Ｓ２）（Ｓ５）（Ｓ６）と対になる差し込み部（ｔ１）（ｔ２）（ｔ５）（ｔ６）およびお面（２）を立体的に構成するために必要なスリット（Ｓ３）（Ｓ４）（Ｓ７）（Ｓ８）、のぞき穴である（ｍ１）（ｍ２）、頭部に固定するためのひもを通す孔（ｋ１）（ｋ２）が備えられている状態である。
【０００６】  図２は本考案の組立式お面（１）における、お面部（２）を組み立てた場合の正面図である。このときあらかじめトムソン加工によって打ち抜かれお面（２）に備わっているスリット部（Ｓ１）（Ｓ２）（Ｓ５）（Ｓ６）と対になる差し込み部（ｔ１）（ｔ２）（ｔ５）（ｔ６）はスリット（Ｓ３）（Ｓ４）（Ｓ７）（Ｓ８）の延長線上で組み合わされ、お面（２）を立体的構造にしている。
【０００７】  図３は本考案の組立式お面（１）における、お面部（２）を組み立てた場合の側面図である。このときあらかじめトムソン加工によって打ち抜かれお面（２）に備わっているスリット部（Ｓ１）（Ｓ２）（Ｓ５）（Ｓ６）と対になる差し込み部（ｔ１）（ｔ２）（ｔ５）（ｔ６）はスリット（Ｓ３）（Ｓ４）（Ｓ７）（Ｓ８）の延長線上で組み合わされることで、お面（２）全体を台形に盛り上がらせることで立体的に表現することが出来る。
【図面の簡単な説明】
【０００８】
【図１】本考案の組立式お面の平面図
【図２】図１の組立式お面の正面図
【図３】図２の組立式お面の側面図
【０００９】１    組立式お面
２    お面部
ｓ１  スリット１
ｓ２  スリット２
ｓ３  スリット３
ｓ４  スリット４
ｓ５  スリット５
ｓ６  スリット６
ｓ７  スリット７
ｓ８  スリット８
ｔ１  差し込み１
ｔ２  差し込み２
ｔ３  差し込み３
ｔ４  差し込み４
ｔ５  差し込み５
ｔ６  差し込み６
ｍ１  のぞき穴１
ｍ２  のぞき穴２
ｋ１  紐通し用穴１
ｋ２  紐通し用穴２
【図１】
0003218238.tif 000003
【図２】
0003218238.tif 000004
【図３】
0003218238.tif 000005
【手続補正書】
【提出日】平成30年7月5日(2018.7.5)
【手続補正１】
【補正対象書類名】実用新案登録請求の範囲
【補正対象項目名】請求項３
【補正方法】変更
【補正の内容】
【請求項３】
請求項２に記載の組立式お面の差し込み部、切込み部、スリットはスリットの始点を中心点とする扇側の円弧上に構成されることで、差し込み部と切込み部を組み合わせた時に材料同士の重なり部分が出来、お面に立体的なふくらみをもたらす事を特徴とする組立式お面。